(57)【特許請求の範囲】
【請求項１】
薄膜ディスペンサであって、
ハウジングを含み、
前記ハウジングは、
上部ケーシングを有し、当該上部ケーシングは、
第１の端部と、
一定の長さと、
内部表面とを備え、
前記ハウジングは、
前記上部ケーシングと結合することで、当該下部ケーシングと前記上部ケーシングとの間で室を規定する下部ケーシングを有し、当該下部ケーシングは、
前記上部ケーシングの前記第１の端部とピボットによって結合される端部と、
前記上部ケーシングの長さよりも長い一定の長さと、
前記上部ケーシングの内部表面に面しており、前記上部ケーシングの内部表面から間隔を置いて配置されている内部表面とを備え、
前記ハウジングは、
前記上部ケーシングおよび前記下部ケーシングの内部表面の上に設けられている噛合い装置を有し、
前記ハウジングの前記室の中に配置されるディスペンジングユニットを含み、
前記上部ケーシングは、当該上部ケーシングの前記第１の端部の反対側の第２の端部を備え、
前記下部ケーシングは、前記上部ケーシングに対面する内側の底を備え、
前記噛合い装置は、前記上部ケーシングの前記第２の端部および前記内側の底の上に設けられている
薄膜ディスペンサ。
【請求項２】
前記噛合い装置は、
前記上部ケーシングに形成された上部の噛合いタブと、
前記下部ケーシングに形成され、前記上部の噛合いタブと噛み合う下部の噛合いタブと
を含む
請求項１に記載の薄膜ディスペンサ。
【請求項３】
前記上部の噛合いタブは、前記上部ケーシングの前記第２の端部に形成され、前記下部ケーシングに向かって伸張しており、
前記下部の噛合いタブは、前記上部の噛合いタブに対応する位置にあって、前記下部ケーシングの前記内側の底の上に形成されている
請求項２に記載の薄膜ディスペンサ。
【請求項４】
前記下部の噛合いタブは、前記下部ケーシングの中心線の中間付近に形成される
請求項２または３に記載の薄膜ディスペンサ。
【請求項５】
前記上部の噛合いタブおよび前記下部の噛合いタブは、弾力性を備えている
請求項４に記載の薄膜ディスペンサ。
【請求項６】
前記ディスペンジングユニットは、ボディと、前記噛合い装置に対応し、前記ボディを貫通するものとして定義されるスルーホールとを備えている
請求項１から３および５のいずれかに記載の薄膜ディスペンサ。
【請求項７】
前記上部ケーシングは、当該上部ケーシングの上に形成されたフィンガタブであって、前記噛合い装置が設けられた端部で当該上部ケーシングの上部より水平方向に拡張しているフィンガタブを有しており、
前記ディスペンジングユニットは、さらに、前記上部ケーシングの前記フィンガタブに対応する位置にあるものとして定義され、前記フィンガタブが当該フィンガ緩衝部の中にわずかに拡張することを許容するフィンガ緩衝部を備えている
請求項１から３および６のいずれかに記載の薄膜ディスペンサ。
【請求項８】
さらに、前記ディスペンジングユニットと前記ハウジングとの間に設けられた位置決め装置を備えた
請求項１から３および７のいずれかに記載の薄膜ディスペンサ。
【請求項９】
前記位置決め装置は、
前記ディスペンジングユニットの２つの側部の上にそれぞれ形成された２つの位置決めタブと、
前記下部ケーシング内に定められ、前記位置決めタブに個別に噛み合う２つの位置決め用受けと
を備える
請求項８に記載の薄膜ディスペンサ。
【請求項１０】
前記位置決め用受けは、前記下部ケーシングの２つの内側側面内に個別に定められる
請求項９に記載の薄膜ディスペンサ。
【請求項１１】
各位置決め用受けは、２つの端部と、当該２つの端部上に個別に形成された２つの案内ブロックとを有しており、
前記各案内ブロックは、頭部と、当該頭部に形成された傾斜した表面とを有している
請求項１０に記載の薄膜ディスペンサ。
【請求項１２】
前記下部ケーシングは、さらに、当該下部ケーシングの２つのエッジ内にあるものとして個別に定められ、前記２つの位置決め用受けに個別に隣接している、２つの緩衝用受けを有している
請求項１１に記載の薄膜ディスペンサ。
【発明の詳細な説明】
【技術分野】
【０００１】
本発明は、薄膜ディスペンサに関し、特に簡便に開くことができるハウジングを有する薄膜ディスペンサに関するものである。
【背景技術】
【０００２】
訂正テープディスペンサあるいは接着テープディスペンサなどの従来の薄膜ディスペンサは、本質的にハウジングとハウジング内に設けられたディスペンジング（吐出、取り出し）ユニットからなる。
【０００３】
環境に優しい目的のためと、ユーザのコスト負担を低減するために、薄膜ディスペンサのハウジングは、使用されたディスペンジングユニットを新しいものと取り替えることをユーザに許容するために、開くことが可能となっている。
【０００４】
さらに、従来の薄膜ディスペンサのハウジングは、互いに結合された２つの半分のケーシングから構成されており、噛合い装置は、２つの半分のケーシングが閉じられた状態で確実に２つの半分のケーシングを結合するために、２つの半分のケーシングに間に設けられている。従来の噛合い装置は、プレス可能なタイプであり、２つの半分のケーシングのそれぞれに設けられた、２つの弾力のある噛合いアームと、２つの噛み合いのための凹所から構成されている。弾力のある噛合いアームと、噛み合いのための凹所の間の噛み合いによって、２つの半分のケーシングは互いに結合される。
【０００５】
しかしながら、ハウジングを開いて、ハウジングの中のディスペンジングユニットを取り替えるために２つの半分のケーシングを互いに離すには、噛合いアームは、噛み合いのための凹所から離すために押される必要がある。さらに、２つの半分のケーシングは、従来の噛合い装置を配置するための広いスペースを必要とするように、噛合いアームと、噛み合いのための凹所とを、２つの半分のケーシングに配置することになる。この結果、従来の薄膜ディスペンサの容積は大きくなり、従来の薄膜ディスペンサを保管したり包装したり搬送するためのスペースは増大せざるを得なかった。
【０００６】
ユーザの手で、大きな容積を持つ薄膜ディスペンサを保持することは心地悪く、従来の薄膜ディスペンサの使用は不自由であった。そのような欠点を克服するために、本発明は、上記の問題点を抑制するか除去するための、薄膜ディスペンサを提供することを課題とするものである。
【発明の概要】
【発明が解決しようとする課題】
【０００７】
本発明の主要な目的は、ハウジングの容積が効果的に減らされることができて、また薄膜ディスペンサを保管したり包装したり搬送するためのスペースが減らされることができるように、ハウジングの上部ケーシングと下部ケーシングの内部表面に配置された噛合い装置を有している薄膜ディスペンサを提供することにある。そして、薄膜ディスペンサは、ユーザの手によって、容易に保持することができて、操作ができて、保管することができるようになる。薄膜ディスペンサの簡便さと有効性を改善することができる。
【課題を解決するための手段】
【０００８】
上記する目的を達成するために、本発明の薄膜ディスペンサは、ハウジングと、ディスペンジングユニットを有している。ハウジングは、上部ケーシングと、下部ケーシングと、噛合い装置とを有している。上部ケーシングは、第１の端部と、一定の長さと、内部表面を備えている。下部ケーシングは、上部ケーシングと結合することで、下部ケーシングと上部ケーシングとの間で室（チャンバ）を規定する。下部ケーシングは、端部と、一定の長さと、内部表面を備えている。下部ケーシングの端部は、上部ケーシングの第１の端部とピボットによって結合される。下部ケーシングの長さは、上部ケーシングの長さよりも長い。下部ケーシングの内部表面は、上部ケーシングの内部表面に面しており、上部ケーシングの内部表面から間隔を置いて配置されている。噛合い装置は、上部ケーシングおよび下部ケーシングの内部表面の上に設けられている。ディスペンジングユニットは、ハウジングの室の中に配置される。
【０００９】
このような配置によって、噛合い装置が、ハウジングの上部ケーシングと下部ケーシングの互いに対面している内部表面に配置されるために、ハウジングを開くことは、利便なものとなり、省力化される。さらに、ハウジングの容積が効果的に減らされることができて、薄膜ディスペンサを保管したり包装したり搬送するためのスペースをまた減らすことができる。したがって薄膜ディスペンサを製造するためのコストを、それに応じて低減させることができる。さらに薄膜ディスペンサを保持して使用することが容易で簡便であり、薄膜ディスペンサのユーティリティと有効性が改善できるように、薄膜ディスペンサの形状は、ペンに似ている。
【００１０】
さらに、ハウジングとディスペンジングユニットとの間の位置決め装置の配置によって、ディスペンジングユニットは、薄膜ディスペンサの構造上の安定性が強化されることができるように、ディスペンジングユニットが勝手にハウジングから外れることを防止するために複数の箇所でハウジングと結合されている。
【００１１】
本発明の他の目的、利点および新規な特徴は、添付された図面と参照して説明される以下に示される詳細な説明によって、より明らかなものとなるであろう。
【図面の簡単な説明】
【００１２】
【図１】図１は、本発明にしたがったディスペンジングユニットを備える薄膜ディスペンサの斜視図である。
【図２】図２は、図１に示す薄膜ディスペンサを分解した斜視図である。
【図３】図３は、図１に示す薄膜ディスペンサの部分的な切断面を示す側面図である。
【図４】図４は、図１に示す薄膜ディスペンサの下部ケーシングを部分的に拡大して示す斜視図である。
【図５】図５は、図１に示す薄膜ディスペンサの操作状態を部分的に切断面として示す側面図であり、ハウジングが開くことを説明する図である。
【図６】図６は、図１に示す薄膜ディスペンサの操作状態を部分的に切断面として分解して示す側面図であり、ディスペンジングユニットを取り替えるためにハウジングが開くことを説明する図である。
【発明を実施するための形態】
【００１３】
本発明にしたがった薄膜ディスペンサは、所望する場所の上に、薄膜のコーティング材を適用（当接）することができる、訂正テープディスペンサ、接着テープディスペンサあるいは同様の全ての種類の装置を含むものである。
【００１４】
図１から図３を参照するに、本発明にしたがった薄膜ディスペンサは、ハウジング１０とディスペンジングユニット２０を備えている。ハウジング１０は、内部でディスペンジングユニット２０を保持するためにハウジング１０で規定される室（チャンバ）を有している。ハウジング１０は、上部ケーシング１１と、下部ケーシング１２とを含んで構成される。
【００１５】
上部ケーシング１１は、下部ケーシング１２の端部に、ピボットのピンにより結合される第１の端部を有している。下部ケーシング１２の長さは、上部ケーシング１１の長さよりも長い。噛合い装置は、上部ケーシング１１と下部ケーシング１２の間にあって互いに対面する内部表面それぞれに、互いに間隔を置いて配置されている。
【００１６】
上部ケーシング１１と下部ケーシング１２はそれぞれ、Ｕ字形状の断面を有しており、それらによりケーシング１１、１２それぞれの内部表面が内部の底と２つの内部の側面を形成する。
【００１７】
上部ケーシング１１および下部ケーシング１２の内側の底はそれぞれ、対面しており、互いに間隔を置いて配置しており、上部ケーシング１１および下部ケーシング１２の内側の側面の表面はそれぞれ、互いに隣接している。
【００１８】
噛合い装置は、互いに噛み合う上部の噛合いタブ１１２と下部の噛合いタブ１２２とから構成されており、それらは上部ケーシング１１と下部ケーシング１２にそれぞれ形成されており、弾力性を備えている。上部の噛合いタブ１１２は、上記した第１の端部とは反対側にあって、下部ケーシング１２に向かって伸張している、上部ケーシング１１の第２の端部にあり、上部ケーシング１１の内側の底の上に形成されている。
【００１９】
下部の噛合いタブ１２２は、上部の噛合いタブ１１２に対応する位置にあって、下部ケーシング１２の内側の底の上に形成されている。好ましくは下部の噛合いタブ１２２は、下部ケーシング１２の中心線の中間付近に形成される。
【００２０】
ディスペンジングユニット２０は、ハウジング１０の室内に設けられており、正常状態でハウジング１０から恒久的に外側に突出させることができる。ディスペンジングユニット２０は、ボディ２１、ディスペンジングヘッド、ホイールアセンブリ、薄膜、キャップからなる。ディスペンジングユニット２０は従来のものとして構成することができ、その詳細な説明は省略する。さらにディスペンジングユニット２０はボディ２１を貫通するものとして定義されるスルーホール２２を有しており、それは噛合い装置に対応している。上部の噛合いタブ１１２と下部の噛合いタブ１２２は、スルーホール２２に挿通することが可能であり、それらは互いに噛み合う。
【００２１】
さらに位置決め装置がディスペンジングユニット２０のボディ２１とハウジング１０との間に設けられている。位置決め装置は、２つの位置決めタブ２４と２つの位置決め用受け１２４からなる。位置決めタブ２４は、ディスペンジングユニット２０のボディ２１の２つの側部の上にそれぞれ形成されており、それぞれフックを有している。位置決め用受け１２４は、下部ケーシング１２内に定められており、位置決めタブ２４のフックに個別に噛み合う。好ましくは位置決め用受け１２４は、図に示すように下部ケーシング１２の内側側面を貫通しない、隠された受けとして形成される。代わりに位置決め用受け１２４は、下部ケーシング１２の内側側面を通して貫通する孔として形成されるものとして定められる。さらに位置決め用受け１２４を、ディスペンジングユニット２０のボディ２１の側部に形成し、位置決めタブ２４を、下部ケーシング１２の内側側面の上に形成してもよい。位置決めタブ２４と位置決め用受け１２４との間の噛み合いにより、ディスペンジングユニット２０とハウジング１０との結合の強さを、より強化することができる。それによって、薄膜ディスペンサが偶然に高い場所から落下したとしても、ディスペンジングユニット２０がハウジング１０から外れることを防止することができる。ハウジング１０内にディスペンジングユニット２０を設ける構造上の安定性を改善することができる。
【００２２】
図４を参照するに、位置決め用受け１２４は、２つの端部と、当該２つの端部上に個別に形成された２つの案内ブロック１２６とを有している。各案内ブロック１２６は、頭部と、当該頭部に形成された傾斜した表面とを有している。案内ブロック１２６と当該案内ブロック１２６上の傾斜した表面によって、位置決めタブ２４に案内効果を提供することができ、位置決めタブ２４が位置決め用受け１２４に円滑に挿入されて円滑に噛み合うことを可能足らしめる。
【００２３】
さらに下部ケーシング１２はまた下部ケーシング１２の２つのエッジ内にあるものとして個別に定められ、２つの位置決め用受け１２４に個別に隣接している、２つの緩衝用受け１２７を有している。緩衝用受け１２７が設けられることによって、位置決めタブ２４が位置決め用受け１２４内に挿入する際の位置決めの円滑さは、ハウジング１０内へのディスペンジングユニット２０の装着を円滑にすることに、寄与することなる。
【００２４】
こうして上部ケーシング１１が、下部ケーシング１２に関連して閉じられるときに、上部の噛合いタブ１１２と下部の噛合いタブ１２２は、ディスペンジングユニット２０のボディ２１内のスルーホール２２内に挿入され、互いに噛み合うことになる。この結果、上部ケーシング１１と下部ケーシング１２は、上部ケーシング１１と下部ケーシング１２との間でディスペンジングユニット２０を保持するために互いに結合される。
【００２５】
図５と図６を参照するに、ディスペンジングユニット２０の薄膜が使い果たされて、新しいものと取り替えられるべきときには、上部ケーシング１１は、上方に引かれ、上部の噛合いタブ１１２が、噛合いタブ１１２、１２２それら自身の弾性によって、下部の噛合いタブ１２２から離され、上部ケーシング１１は、素早く開かれる。この結果、上部ケーシング１１は、ハウジング１０を開くために、下部ケーシング１２に関連してピボットにより旋回が可能となる。
【００２６】
こうして使用済みのディスペンジングユニット２０を新しいものと取り替えることが可能となる。新しいディスペンジングユニット２０がハウジング１０内に装着された後には、上部ケーシング１１が、下部ケーシング１２に関連して閉じられ、薄膜ディスペンサが正常に使用することが可能になるように、上部の噛合いタブ１１２が、下部の噛合いタブ１２２に再び噛み合せられる。
【００２７】
噛合い装置を簡便に切り離し、上部ケーシング１１が素早く開くことをユーザに許容するために、上部ケーシング１１は、その上に形成されたフィンガタブ１１４を有しており、フィンガタブ１１４は、上部の噛合いタブ１１２が形成されている上記した第２の端部で当該上部ケーシング１１の上部より水平方向に拡張したものとして設けられる。ディスペンジングユニット２０のボディ２１は、さらにボディ２１の上部内に定められるフィンガ緩衝部２６を有している。フィンガ緩衝部２６は、上部ケーシング１１のフィンガタブ１１４に対応する位置にあるとして定義され、フィンガタブ１１４が当該フィンガ緩衝部２６の中にわずかに拡張することを許容する。
【００２８】
したがって、ハウジング１０を開くように、ユーザの指をフィンガタブ１１４の上にゆっくりと力を入れるだけで、容易に上部ケーシング１１が素早く開くことなり、省力化が図られ、簡便なものとなる。
【００２９】
本発明の種々の特徴と利点を、発明の構造と作用の詳細な説明とともに説明したが、本発明は詳細な説明に開示されたものにだけに限定されるわけでなく、特に形状、サイズ、部品の変形については、以下に表現される特許請求の範囲内で広く一般的に変形することができる。
【図１】
0005663812.tif 000002
【図２】
0005663812.tif 000003
【図３】
0005663812.tif 000004
【図４】
0005663812.tif 000005
【図５】
0005663812.tif 000006
【図６】
0005663812.tif 000007